(57)【要約】  ミキサ回路（１００）は、ミキサ（１１０）と、ＬＯ漏れ検出器（１２０）と、デジタルＬＯ漏れ消去コントローラ（１３０）と、ＤＡＣ構成（１４０）とを備える。ミキサ（１１０）は、局部発振器（ＬＯ）周波数ｆＬＯを有する第１のＬＯ信号を中間周波数（ＩＦ）信号と混合し、出力信号、すなわち所望の信号を生成するように設定される。ＬＯ漏れ検出器（１２０）は、所望の信号の存在下でミキサ（１１０）の出力におけるＬＯ漏れを測定する。次いで、デジタルＬＯ漏れ消去コントローラ（１３０）において、ミキサへの中間周波数入力信号レベルが調整されるようにデジタルアナログ変換器構成（１４０）をステアリングすることによって、ミキサにおけるＬＯ漏れを自動的に調整するデジタルアルゴリズムが実行される。【選択図】図１
2021507653.tif 000002
【特許請求の範囲】
【請求項１】
局部発振器（ＬＯ）周波数を有する第１のＬＯ信号を中間周波数（ＩＦ）信号と混合し、出力信号を生成するように設定された第１のミキサ（１１０、２１０）と、
ＬＯ漏れ検出器（１２０、２２０）と
を備えるミキサ回路（１００、２００）であって、
前記ＬＯ漏れ検出器（１２０、２２０）が、
前記第１のミキサ（２１０）の出力に結合されたカプラ（２２１）と、
第２の発振器信号（２２３）を前記カプラから受信された前記第１のミキサ（２１０）の前記出力信号と混合し、出力信号を生成するように設定された第２のミキサ（２２２）であって、前記第２の発振器信号の周波数が前記ＩＦ信号の周波数よりも低い、第２のミキサ（２２２）と、
前記第２のミキサ（２２２）の前記出力信号を前記第１のＬＯ信号と同じ周波数を有するＬＯ信号と混合し、前記第２の発振器信号の周波数と同じ周波数を有する直交出力信号を生成するように設定された第３の直交ミキサ（２２４）と、
前記第３の直交ミキサ（２２４）からの前記直交出力信号を増幅し、フィルタ処理するための、前記第３の直交ミキサ（２２４）に結合された増幅器構成（２２６）と、
前記増幅器構成（２２６）からの出力信号を前記第２の発振器信号と混合し、直流（ＤＣ）信号を生成するように設定された第４のミキサ構成（２２７）と、
前記第４のミキサ構成（２２７）からの前記ＤＣ信号を、前記第１のミキサ（２１０）からの検出されたＬＯ漏れを表すデジタルワードに変換するためのアナログデジタル変換器構成（２２８）と
を備え、
前記ミキサ回路（２００）が、
前記検出されたＬＯ漏れを処理し、制御ワード（２３１）を生成するように設定されたデジタル処理ユニット（１３０、２３０）と、
前記第１のミキサ（２１０）のＩＦ入力に結合されたデジタルアナログ変換器（ＤＡＣ）構成（１４０、２４０）であって、前記ＤＡＣ構成（２４０）が、前記制御ワード（２３１）を受信し、前記第１のミキサ（２１０）のＩＦ入力信号を調整するように設定された、ＤＡＣ構成（１４０、２４０）と
をさらに備える、ミキサ回路（１００、２００）。
【請求項２】
前記増幅器構成（２２６）が、前記第３の直交ミキサ（２２４）からの前記直交出力信号を並列に増幅し、フィルタ処理するための２つの増幅器を備える、請求項１に記載のミキサ回路。
【請求項３】
前記第４のミキサ構成（２２７）が２つのミキサを備え、前記アナログデジタル変換器構成（２２８）が２つのアナログデジタル変換器を備える、請求項２に記載のミキサ回路。
【請求項４】
一度に前記第３の直交ミキサ（２２４）からの前記直交出力信号のうちの１つを選択するための、前記第３の直交ミキサ（２２４）の出力に結合されたセレクタ（２２５）をさらに備え、前記増幅器構成（２２６）が、一度に前記直交出力信号のうちの１つを増幅し、フィルタ処理するための、前記セレクタ（２２５）を介して前記第３の直交ミキサ（２２４）の前記出力に結合された単一の増幅器を備える、請求項１に記載のミキサ回路。
【請求項５】
前記第４のミキサ構成（２２７）が単一のミキサを備え、前記アナログデジタル変換器構成（２２８）が単一のアナログデジタル変換器を備える、請求項４に記載のミキサ回路。
【請求項６】
前記デジタル処理ユニット（２３０）が、平均化されたＬＯ漏れが最小にされるように、前記ＤＡＣ構成（２４０）の設定を調整するために前記制御ワード（２３１）を生成するために、いくつかのサンプルにわたって前記検出されたＬＯ漏れを累積するように設定された、請求項１から５のいずれか一項に記載のミキサ回路。
【請求項７】
前記第１のミキサ（２１０）が直交ミキサであり、前記ＤＡＣ構成（２４０）が、前記制御ワード（２３１）を受信し、前記第１のミキサ（２１０）の直交ＩＦ入力信号を調整するように設定された２つのＤＡＣを備える、請求項１から５のいずれか一項に記載のミキサ回路。
【請求項８】
前記デジタル処理ユニット（２３０）が、平均化されたＩ位相およびＱ位相ＬＯ漏れ（Ｉ２＋Ｑ２）が最小にされるように、前記２つのＤＡＣ（２４０）の設定を調整するために、前記制御ワード（２３１）を生成するために、いくつかのサンプルにわたって検出されたＩ位相およびＱ位相ＬＯ漏れを累積するように設定された、請求項７に記載のミキサ回路。
【請求項９】
前記カプラ（２２１）がキャパシタである、請求項１から８のいずれか一項に記載のミキサ回路。
【請求項１０】
請求項１から８のいずれか一項に記載のミキサ回路を備える電子回路。
【請求項１１】
周波数合成器、トランシーバ、送信機、受信機のうちのいずれか１つを含む、請求項１０に記載の電子回路。
【請求項１２】
セルラー通信システムのための、またはワイヤレス通信システムにおける、基地局、ビームフォーミング基地局、モバイル端末、またはユーザ機器のうちのいずれか１つを含む、請求項１０に記載の電子回路。
【発明の詳細な説明】
【技術分野】
【０００１】
本明細書の実施形態は局部発振器漏れ検出および消去に関する。より詳細には、本明細書の実施形態は、局部発振器漏れ検出器を有するミキサ回路、ならびにミキサ回路を備える電子回路に関する。
【背景技術】
【０００２】
ワイヤレス通信システムは、通常、いくつかの周波数変換ステップを含む、送信機回路と受信機回路との複雑なチェーンを備える。送信機回路は、一般に、ベースバンド信号を送信のために無線周波数（ＲＦ）信号にアップコンバートし、受信機回路は、受信されたＲＦ信号を処理のためにベースバンド信号にダウンコンバートする。そのような周波数変換は、２つの周波数信号を混合するためにミキサを必要とする。
【０００３】
入来信号の周波数を最終出力信号の周波数に変換するためのミキサを含むＲＦまたはマイクロ波送信機は、出力信号中に信号送信のための割り振られたスペクトルの外側にあるいくらかのスプリアス信号または不要な信号を有する。チャネルスペクトルの外側の許容されるスプリアス放出レベルを規定する規格がある。特に、入来信号の周波数を局部発振器（ＬＯ：Ｌｏｃａｌ  Ｏｓｃｉｌｌａｔｏｒ）の周波数と混合するミキサも、局部発振器の周波数においていくらかのレベルの不要な出力信号を有する。これは、いわゆるＬＯ漏れを消去または減衰させるために直流（ＤＣ）信号で意図的にバイアスされた直交ミキサ（ｑｕａｄｒａｔｕｒｅ  ｍｉｘｅｒ）を使用することによって克服され得る。これは、一般に、すべてのマイクロ波送信機チェーンにおいて、あるレベルの消去または減衰を与えるファクトリーにおける較正プロシージャによって行われる。一般に、ＬＯ漏れは、所望の信号をオフにし、何らかの種類の電力検出器を使用してミキサの出力におけるＬＯ漏れを測定することによって測定される
【０００４】
いくつかの適用例は、ＬＯ漏れに関し極めて厳しい要件を有する。これは、たとえば、多数の送信信号を組み合わせて単一の信号にすることによるフェーズドアレイ送信機であり得る。各個々の送信機に関するＬＯ漏れ要件は、その場合、単一の送信機チェーンの場合よりも満たすことがはるかに厳しくなる。また、たとえば周囲温度の変化は、一般に、たとえば補償のための旧来のテーブルベース手法を使用することによって考慮するのが厳しくなり得る、ＬＯ漏れへの影響がある。
【発明の概要】
【０００５】
したがって、本明細書の実施形態の目的は、ＬＯ漏れ検出および消去のための技法を提供することである。
【０００６】
本明細書の実施形態の一態様によれば、本目的はミキサ回路によって達成される。ミキサ回路は、ＬＯ周波数を有する第１の局部発振器（ＬＯ）信号を中間周波数（ＩＦ：Ｉｎｔｅｒｍｅｄｉａｔｅ  Ｆｒｅｑｕｅｎｃｙ）信号と混合し、出力信号を生成するように設定された第１のミキサを備える。
【０００７】
ミキサ回路は、ＬＯ漏れ検出器をさらに備える。ＬＯ漏れ検出器は、第１のミキサの出力に結合されたカプラと、第２の発振器信号をカプラから受信された第１のミキサの出力信号と混合し、出力信号を生成するように設定された第２のミキサとを備える。第２の発振器信号の周波数はＩＦ信号の周波数よりも低い。
【０００８】
ＬＯ漏れ検出器は、第２のミキサの出力信号を、第１のＬＯ信号と同じ周波数を有するＬＯ信号と混合し、第２の発振器信号の周波数と同じ周波数を有する直交出力信号を生成するように設定された第３の直交ミキサをさらに備える。
【０００９】
ＬＯ漏れ検出器は、第３の直交ミキサからの直交出力信号を増幅し、フィルタ処理するための、第３の直交ミキサに結合された増幅器構成と、増幅器構成からの出力信号を第２の発振器信号と混合し、直流（ＤＣ）信号を生成するように設定された第４のミキサ構成とをさらに備える。
【００１０】
ＬＯ漏れ検出器は、第４のミキサ構成からのＤＣ信号を、第１のミキサからの検出されたＬＯ漏れを表すデジタルワードに変換するためのアナログデジタル変換器構成をさらに備える。
【００１１】
ミキサ回路は、検出されたＬＯ漏れを処理し、制御ワードを生成するように設定されたデジタル処理ユニットと、第１のミキサのＩＦ入力に結合されたデジタルアナログ変換器（ＤＡＣ：Ｄｉｇｉｔａｌ−ｔｏ−Ａｎａｌｏｇ  Ｃｏｎｖｅｒｔｅｒ）構成とをさらに備える。ＤＡＣ構成は、制御ワードを受信し、第１のミキサのＩＦ入力信号を調整するように設定される。
【００１２】
言い換えれば、本明細書の実施形態によるミキサ回路は、ミキサと、ＬＯ漏れ検出器と、デジタルＬＯ漏れ消去コントローラとして機能するデジタル処理ユニットと、ＤＡＣ構成とを備える。ＬＯ漏れ検出器は、所望の信号の存在下でミキサの出力におけるＬＯ漏れを測定する。次いで、ＬＯ漏れ消去コントローラにおいて、ミキサにおけるＬＯ漏れを自動的に調整または消去するデジタルアルゴリズムが実行される。これは、ミキサへの中間周波数入力信号レベルが調整されるようにデジタルアナログ変換器構成をステアリングすることによって行われる。
【００１３】
ミキサ回路中のミキサ、ＬＯ漏れ検出器およびＬＯ漏れ消去コントローラは、すべて単一の集積回路に一体化され得る。したがって、消去コントローラ、漏れ検出およびデジタルＬＯ漏れ最小化アルゴリズムの一体化は、変化する環境条件（これは、一般に温度であり得るが、エージング、および／または供給電圧変動などでもあり得る）に適応することができる完全に自律的な漏れ消去方式を可能にするという利点を有する。このようにして、極めて低いＬＯ漏れレベルを可能にするロバストなソリューションが得られる。
【００１４】
本明細書の実施形態は、ＬＯ漏れを増加させ得る温度変化および周囲条件の他の変化を追跡する可能性を有する。ＬＯ漏れ消去コントローラを観測されたＬＯ漏れレベルに自動的に調整することによって、様々な条件の下で極めて低いＬＯ漏れレベルを有することが可能である。これにより、ミキサ回路は、極めて厳しい漏れ要件レベルに準拠することが可能になる。さらに、本明細書で提示された実施形態は、所望の信号の存在下でＬＯ漏れを検出し、消去する。
【００１５】
したがって、本明細書の実施形態は、ＬＯ漏れ検出および消去のための改善された技法を提供する。
【００１６】
添付の図面を参照しながら、本明細書の実施形態例についてより詳細に説明する。
【図面の簡単な説明】
【００１７】
【図１】本明細書の実施形態によるミキサ回路の一般的なブロック図である。
【図２】本明細書の実施形態による図１におけるミキサ回路のブロック図である。
【図３】本明細書の実施形態が実装され得る電子回路またはデバイスを示すブロック図である。
【発明を実施するための形態】
【００１８】
図１は、本明細書の実施形態によるミキサ回路１００の一般的なブロックを示す。ミキサ回路１００は、ミキサ１１０と、ＬＯ漏れ検出器１２０と、ＬＯ漏れ消去コントローラとして機能するデジタル処理ユニット１３０（Ｄｉｇ  Ｃｔｒｌ）と、ＤＡＣ構成１４０とを備える。ミキサ１１０は、ＬＯ周波数ｆＬＯを有する第１の局部発振器（ＬＯ）信号を中間周波数（ＩＦ）信号と混合し、出力信号、すなわち所望の信号を生成するように設定される。ＬＯ漏れ検出器１２０は、所望の信号の存在下でミキサ１１０の出力におけるＬＯ漏れを測定する。次いで、デジタルＬＯ漏れ消去コントローラ１３０において、ミキサ１１０への中間周波数入力信号レベルが調整されるようにデジタルアナログ変換器構成１４０をステアリングすることによって、ミキサにおけるＬＯ漏れを自動的に調整するデジタルアルゴリズムが実行される。
【００１９】
図２は、現在ミキサ回路２００として示されているミキサ回路１００をより詳細に示す。ミキサ回路２００は、ＬＯ周波数ｆＬＯまたはωＬＯ＝２＊π＊ｆＬＯを有する第１の局部発振器（ＬＯ）信号を中間周波数（ＩＦ）信号ｆｉｆまたはωｉｆ＝２＊π＊ｆｉｆと混合し、出力信号を生成するように設定された第１のミキサ２１０を備える。
【００２０】
回路からの出力信号はＳ＊ｅｘｐ（ｊ＊ｔ＊ω＋ｊ＊α）として示され得る。Ｓは振幅であり、ωは角周波数ω＝２＊π＊ｆであり、ここで、ｆは出力信号の周波数であり、αはある任意の位相オフセットである。
【００２１】
第１のミキサ２１０からの出力信号は
2021507653.tif 000003
として示され得る。ここで、Ｓは所望の信号の振幅であり、Ｌは不要なＬＯ漏れ信号の振幅であり、下側波帯ミキサの場合はωｉｆ２＝ωＬＯ−ωｉｆ、または上側波帯ミキサの場合はωｉｆ２＝ωＬＯ＋ωｉｆである。
【００２２】
ミキサ回路２００はＬＯ漏れ検出器２２０をさらに備える。ＬＯ漏れ検出器２２０は、第１のミキサの出力に結合されたカプラ２２１を備える。カプラはキャパシタであり得る。
【００２３】
カプラ２２１は、第１のミキサ２１０からの出力信号と漏れ信号とをほぼ同じ量Ａだけ減衰させる。そして、カプラ２２１からの得られた出力は
2021507653.tif 000004
となる。
【００２４】
ＬＯ漏れ検出器２２０は、第２の発振器信号２２３を、カプラ２２１から受信された第１のミキサ２１０の出力信号と混合し、出力信号を生成するように設定された第２のミキサ２２２をさらに備える。第２の発振器信号の周波数はＩＦ信号の周波数よりも低い。第２の発振器信号２２３は
2021507653.tif 000005
である。
【００２５】
第２のミキサ２２２からの出力信号は
2021507653.tif 000006
である。
【００２６】
ここで、Ｇｃは第２のミキサ２２２の変換利得であり、これは、簡潔にするために、２つの周波数ωｉｆ２±ωＯＳＣおよびωＬＯ±ωＯＳＣについて同等であると仮定される。
【００２７】
ＬＯ漏れ検出器２２０は、第２のミキサ２２２の出力信号を、第１のＬＯ信号ωＬＯと同じ周波数を有するＬＯ信号と混合し、第２の発振器信号の周波数ωＯＳＣと同じ周波数を有する直交出力信号を生成するように設定された第３の直交ミキサ２２４をさらに備える。第３の直交ミキサ２２４はローパスフィルタ、たとえば１次抵抗器‐キャパシタＲＣフィルタを備え得る（図示せず）。
【００２８】
第３の直交ミキサ２２４出力における複素信号Ｉ成分は
2021507653.tif 000007
である。
【００２９】
ミキサ出力におけるＱ成分信号は
2021507653.tif 000008
である。
【００３０】
ここで、Ａｔｔは第３の直交ミキサ２２４におけるローパスフィルタの周波数依存減衰である。簡潔にするために、すべての周波数について同じ表記法が使用される。ωＬＯが消し合って消える項を除いて、すべての周波数が高い、たとえばωｉｆ≫ωＯＳＣである。したがって、これらの高周波数項を落とした後、Ｉ成分ミキサ出力上で
2021507653.tif 000009
が得られ、
Ｑ成分ミキサ出力上で
2021507653.tif 000010
が得られる。
【００３１】
ここで、Ｇｄは、角周波数ωＯＳＣについての第３の直交ミキサ２２４の変換利得である。実際には、出力においてＩＦ角周波数の若干の残りが依然としてあるが、簡潔にするためにこれを無視することにする。
【００３２】
ＬＯ漏れ検出器２２０は、第３の直交ミキサ２２４からの直交出力信号を増幅し、フィルタ処理するための、第３の直交ミキサ２２４に結合された増幅器構成２２６をさらに備える。増幅器構成２２６は、Ｉ成分またはＱ成分ミキサ出力信号を利得Ｇで増幅し、フィルタ処理する。
【００３３】
ＬＯ漏れ検出器２２０は、増幅器構成２２６からの出力信号を第２の発振器信号と混合し、直流（ＤＣ）信号を生成するように設定された第４のミキサ構成２２７をさらに備える。
【００３４】
Ｉ成分ミキサからのＤＣ出力は
2021507653.tif 000011
である。
【００３５】
Ｑ成分ミキサからは
2021507653.tif 000012
である。
【００３６】
ＬＯ漏れ検出器２２０は、第４のミキサ構成２２７からのＤＣ信号を、第１のミキサ２１０からの検出されたＬＯ漏れを表すデジタルワードに変換するためのアナログデジタル変換器構成２２８をさらに備える。
【００３７】
ミキサ回路２００は、デジタルＬＯ漏れ消去コントローラとして機能し、検出されたＬＯ漏れを処理し、制御ワード２３１を生成するように設定されたデジタル処理ユニット２３０（ＤＩＧ  ＣＴＲＬ）をさらに備える。
【００３８】
ミキサ回路２００は、第１のミキサ２１０のＩＦ入力に結合されたデジタルアナログ変換器（ＤＡＣ）構成２４０をさらに備える。ＤＡＣ構成２４０は、制御ワード２３１を受信し、第１のミキサ２１０のＩＦ入力信号を調整するように設定される。
【００３９】
送信機チェーンにおける未知の位相シフトにより、第１のミキサ２１０からのＩ信号成分およびＱ信号成分と、第３のミキサ２４０からのＩ信号成分およびＱ信号成分との間にアプリオリ関係がないことに留意されたい。変化する環境条件に関与する時定数は、一般にミキサにおける時定数よりもはるかに大きい。したがって、第３のミキサ２４０からのＩ信号成分出力およびＱ信号成分出力は時間多重化様式で検出されるので、検出器のためのより少ない領域使用および電力使用が可能になり得る。
【００４０】
したがって、本明細書のいくつかの実施形態によれば、ＬＯ漏れ検出器２２０は、一度に第３の直交ミキサ２２４からの直交出力信号のうちの１つを選択するための、第３の直交ミキサ２２４の出力に結合されたセレクタ２２５をさらに備え得る。セレクタ２２５は、位相π／２だけ異なるＩ信号成分またはＱ信号成分のいずれかをピックする。
【００４１】
この場合、増幅器構成２２６は、一度に直交出力信号のうちの１つを増幅し、フィルタ処理するための、セレクタ２２５を介して第３の直交ミキサ２２４の出力に結合された単一の増幅器を備え得る。
【００４２】
第４のミキサ構成２２７は単一のミキサを備え得、アナログデジタル変換器構成２２８は単一のアナログデジタル変換器を備え得る。
【００４３】
本明細書のいくつかの実施形態によれば、増幅器構成２２６は、第３の直交ミキサ２２４からの直交出力信号ＩおよびＱを並列に増幅し、フィルタ処理するための２つの増幅器を備え得る。
【００４４】
この場合、第４のミキサ構成２２７は２つのミキサを備え得、アナログデジタル変換器構成２２８は２つのアナログデジタル変換器を備え得る。
【００４５】
本明細書のいくつかの実施形態によれば、第１のミキサ２１０は直交ミキサであり得、ＤＡＣ構成２４０は、制御ワード２３１を受信し、第１のミキサ２１０の直交ＩＦ入力信号を調整するように設定された２つのＤＡＣを備え得る。
【００４６】
本明細書のいくつかの実施形態によれば、デジタル処理ユニット２３０は、平均化されたＬＯ漏れが最小にされるように、ＤＡＣ構成２４０の設定を調整するために制御ワード２３１を生成するために、いくつかのサンプルにわたって検出されたＬＯ漏れを累積するように設定され得る。
【００４７】
たとえば、デジタル処理ユニット２３０中に実装されたデジタルアルゴリズムにおいて、量
2021507653.tif 000013
が形成され、これは、その場合、任意の位相αから独立している。デジタルアルゴリズムは、検出された漏れレベルを任意のスケールで形成するために、好適な数のサンプルにわたって検出されたＩ位相漏れおよびＱ位相漏れを累積する。アルゴリズムの目的は、その場合、Ｉ２＋Ｑ２を最小にする最適なＤＡＣ設定を見つけることである。これは、たとえばデフォルト設定において開始することによって行われ得、次いで、最適な設定を見つけるために、たとえば最急降下（ｓｔｅｅｐｅｓｔ  ｄｅｓｃｅｎｔ）アルゴリズムを使用し得る。
【００４８】
このプロシージャのスケッチは、以下のようになり得る。Ｉ信号成分およびＱ信号成分のための任意のＤＡＣワード設定、たとえばＩＤＡＣおよびＱＤＡＣから、
ＩＤＡＣ＋ステップ＊ｓ１、ＱＤＡＣ＋ステップ＊ｓ２
など、９つの異なる設定をテストし得る。ここで、ｓ１、ｓ２は値［−１，０，１］を取り、ステップはある正の整数１、２、３、…である。
【００４９】
微調整のために、ステップサイズは１であるべきであるが、変化が小さい場合は、より大きいステップサイズを使用することが有利であり得る。９つの異なるケースのうち、最も小さい得られたＩ２＋Ｑ２を与えるケースがピックされる。
【００５０】
したがって、本明細書のいくつかの実施形態によれば、デジタル処理ユニット２３０は、平均化されたＩ位相およびＱ位相ＬＯ漏れＩ２＋Ｑ２が最小にされるように、２つのＤＡＣ２４０の設定を調整するために制御ワード２３１を生成するために、いくつかのサンプルにわたって検出されたＩ位相およびＱ位相ＬＯ漏れを累積するように設定され得る。
【００５１】
しかしながら、ＬＯ漏れ検出器２２０には、結果をひずませるオフセットがあることに留意されたい。この問題を克服するために、第１のミキサ２１０をオフにし、検出された漏れレベルを測定することによって、オフセットが測定される。次いで、真の観測された漏れレベルを与えるために、第１のミキサ２１０が有効にされたときに、このオフセットが観測された漏れレベルから減算される。
【００５２】
本明細書の実施形態によるミキサ回路１００、２００は任意の電子回路またはデバイスにおいて実装され得る。図３は、本明細書の実施形態によるミキサ回路１００、２００が実装され得る電子回路またはデバイス３００を示す。電子回路またはデバイス１１００は、トランシーバ、送信機、受信機、周波数合成器など、電子回路のうちのいずれか１つであり得る。電子回路またはデバイス３００はまた、セルラー通信システムのための、またはワイヤレス通信システムにおける、基地局またはビームフォーミング基地局、モバイル端末またはユーザ機器など、通信デバイスのうちのいずれか１つであり得、その場合、電子回路またはデバイス３００は、情報記憶および信号処理などのための他のユニット、たとえばメモリ３２０および処理ユニット３３０を備え得る。
【００５３】
本明細書の実施形態によるミキサ回路１００、２００の利点のうちの１つは、ミキサ、ＬＯ漏れ検出器、およびデジタルＬＯ漏れ消去コントローラ、ならびにミキサ回路中の最小化アルゴリズムが、すべて単一の集積回路に一体化され得ることである。これにより、一般には温度であるが、たとえばエージング、供給電圧変動などでもあり得る、変化する環境条件に適応した、完全に自律的な漏れ消去方式が可能になる。このようにして、極めて低いＬＯ漏れレベルを可能にするロバストなソリューションが得られる。
【００５４】
本明細書の実施形態は、ＬＯ漏れを増加させ得る温度変化および周囲条件の他の変化を追跡する可能性を有する。ＬＯ漏れ消去コントローラを観測されたＬＯ漏れレベルに自動的に調整することによって、様々な条件の下で極めて低いＬＯ漏れレベルを有することが可能である。これにより、本明細書の実施形態が実装された製品を極めて厳しい漏れ要件レベルの下でさえ使用することが可能になる。さらに、本明細書の実施形態は、所望の信号の存在下でＬＯ漏れを検出し、消去する。
【００５５】
「備える／含む（ｃｏｍｐｒｉｓｅ）」または「備える／含む（ｃｏｍｐｒｉｓｉｎｇ）」という単語は、本明細書では、非限定的なもの、すなわち「少なくとも〜からなる」を意味するものとして解釈されるべきである。
【００５６】
本明細書の実施形態は、上記で説明した好ましい実施形態に限定されない。様々な代替、変更および等価物が使用され得る。したがって、上記実施形態は、添付の特許請求の範囲によって定義される本発明の範囲を限定するものとして解釈されるべきでない。
【図１】
2021507653.tif 000014
【図２】
2021507653.tif 000015
【図３】
2021507653.tif 000016
【国際調査報告】
2021507653.tif 000017
2021507653.tif 000018